(57)【特許請求の範囲】
【請求項１】
集束電圧出力端と加速電圧出力端とを有するフライバック変圧器を備えたＣＤＴ電子銃用電源供給装置であって，所定の基準電圧を提供する電圧供給部と；前記集束電圧出力端の集束電圧を検出する集束電圧検出部と；前記集束電圧検出部からの前記集束電圧が前記電圧供給部の基準電圧より低い場合に，前記集束電圧出力端の電圧を上昇させる集束電圧上昇部と；を含むことを特徴とするＣＤＴ電子銃用電源供給装置。
【請求項２】
前記集束電圧検出部は，前記集束電圧出力端と直列に接続された検出抵抗を含むことを特徴とする請求項１に記載のＣＤＴ電子銃用電源供給装置。
【請求項３】
前記集束電圧上昇部は，前記電圧供給部と前記集束電圧検出部との間に介在し，前記電圧供給部からの基準電圧を充電するための抵抗とコンデンサとからなる電圧上昇回路を含むことを特徴とする請求項１または請求項２に記載のＣＤＴ電子銃用電源供給装置。
【請求項４】
前記電圧供給部は，前記フライバック変圧器の垂直ダイナミック波形の電源供給端を含むことを特徴とする請求項１，２あるいは３項のうちのいずれか１項に記載のＣＤＴ電子銃用電源供給装置。
【請求項５】
前記集束電圧上昇部は，前記集束電圧検出部から前記電圧供給部への方向の電流を遮断するダイオードを含むことを特徴とする請求項１，２，３あるいは４項のうちのいずれか１項に記載のＣＤＴ電子銃用電源供給装置。
【請求項６】
前記加速電圧出力端には，加速電圧を維持するためのバイパスコンデンサが設けられることを特徴とする請求項１，２，３，４あるいは５項のうちのいずれか１項に記載のＣＤＴ電子銃用電源供給装置。
【請求項７】
ＣＤＴ電子銃の集束電圧の復旧方法であって，前記ＣＤＴ電子銃の集束電極に印加される集束電圧を検出する段階と；前記集束電圧を所定の基準電圧と比較する段階と；前記集束電圧が前記基準電圧より低い場合に，前記集束電極に印加される電圧を上昇させる段階と；を含むことを特徴とするＣＤＴ電子銃の集束電圧の復旧方法。
【請求項８】
前記基準電圧は，前記集束電極に印加される垂直ダイナミック波形の電源供給端の電圧であることを特徴とする請求項７に記載のＣＤＴ電子銃の集束電圧の復旧方法。
【請求項９】
前記集束電圧を上昇させる段階は，前記集束電極と，前記垂直ダイナミック波形の電源供給端との間に介在されたコンデンサと抵抗とによって充電された電圧を前記集束電極に供給する段階を含むことを特徴とする請求項７または請求項８に記載のＣＤＴ電子銃の集束電圧の復旧方法。
【発明の詳細な説明】
【０００１】
【発明の属する技術分野】
本発明は，加速電極と集束電極にそれぞれ接続される加速電圧出力端と集束電圧出力端を有するフライバック変圧器（ＦＢＴ；Ｆｌｙｂａｃｋ  Ｔｒａｎｓｆｏｒｍｅｒ）を備えるＣＤＴ（Ｃｏｌｏｒ  Ｄｉｓｐｌａｙ  Ｔｕｂｅ）電子銃用電源供給装置，および，ＣＤＴ電子銃の集束電圧の復旧方法に関する。
【０００２】
【従来の技術】
ＣＤＴは，信号源からの映像信号に従って陰極線管で電子を放出させ，放出された電子によってパネル面上の蛍光体を発光させて画像を表示する画像表示装置である。
【０００３】
一般にＣＤＴは，表示する色相に従って三つの電子銃から放出された電子が，高電圧（ＨＶ＋）によって加速されてシャドウマスクを経て蛍光面に衝突し，所定の画像を再現する。
【０００４】
電子銃は，放出された電子を制御するための制御電極，制御電極で調節された電子ビームを加速させるための加速電極，電子ビームが一点に正確に集まるようにするための集束電極等を備える。
【０００５】
従来の電子銃の電極配置構造は，図２に示すように，上からＥＣ３−Ｄ（Ｇ４）５７→ＥＣ３−Ｓ（Ｇ３）５３→ＥＣ３−Ｄ（Ｇ４）５７→ＥＣ３−Ｓ（Ｇ３）５３→ＥＣ２（Ｇ２）５５の順になっている。
【０００６】
近年，電子銃の集束機能を改善したＳ−ＣＸＯ（Ｓｕｐｅｒ  Ｃｏｍｍｏｎ  Ｅｘｔｅｎｄｅｄ  Ｆｉｅｌｄ  Ｏｖａｌ  Ｌｅｎｓ）ＣＤＴ電子銃が開発されている。Ｓ−ＣＸＯ  ＣＤＴ電子銃は，図２の従来の電子銃の電極配置構造に加えて，図３に示すように，更に，ＥＣ３−Ｓ（Ｇ３）３→ＥＣ２（Ｇ２）５を有している。また，図面には示されていないが，ＥＣ３−Ｓ，ＥＣ３−ＤがＥＣ２を取り囲む構造になっている。ここで，Ｇ２は電子銃の加速電極，Ｇ３は電子銃のスタティック集束電極，Ｇ４は電子銃のダイナミック集束電極である。
【０００７】
図４は，このようなＳ−ＣＸＯ  ＣＤＴ電子銃に高電圧を供給するフライバック変圧器と，その周りの回路の一例である。図４において，太線で表示したブロックがフライバック変圧器１０を示す回路であり，フライバック変圧器１０の左側上端の回路がフライバック変圧器駆動回路４１であり，左側下端はフライバック変圧器１０から電子銃の加速電極Ｇ２に電圧を供給する回路４２である。
【０００８】
フライバック変圧器１０の左側上端のフライバック変圧器駆動回路４１は，高電圧駆動トランジスタ１８のオン・オフスイッチ動作によってフライバック変圧器１０にＢ＋電圧が印加される。高電圧駆動トランジスタ１８がオン・オフスイッチ動作をして共振コンデンサ９によって電圧が共振されると，１次側コイル１１に電圧が誘起されてフライバック変圧器１０に印加される。１次側コイル１１に誘起された電圧による起電力によって，１次側コイル１１と対向するフライバック変圧器１０の２次側コイル１２に高電圧が誘起される。２次側コイル１２に誘起された高電圧は多くの高電圧分配抵抗１６によって分圧されて電子銃のスタティック集束電極Ｇ３，ダイナミック集束電極Ｇ４にそれぞれ印加される。
【０００９】
一方，２次側コイル１２に誘起された高電圧によって，２次側コイル１２と対向する３次側コイル１３にも高電圧が誘起され，３次側コイル１３で誘起された電圧は高電圧パルスを直流に変える平滑手段Ｃ１を経て電子銃の加速電極Ｇ２に印加される。ここで加速電極Ｇ２に印可される電圧は５４０Ｖ程度である。
【００１０】
【発明が解決しようとする課題】
ところが，図３のＳ−ＣＸＯ  ＣＤＴ電子銃の電極構造と，図４のフライバック変圧器の回路図を参照すると，図４のフライバック変圧器１０の加速電圧出力端１９と集束電圧出力端１５，１７は高いインピーダンスを有する一方，高電位を有するのでＣＤＴ外部の気圧変化による放電現状または異物等の不純物による放電現状が発生する場合に集束電圧が瞬間的に低電位に低下され易くい。
【００１１】
また，図３の集束電極３が加速電極５を取り囲む構造に形成されているので，集束電圧出力端の電圧変化に従って図４の加速電圧出力端１９の電圧が不安定に流動される。これによって，画面の集束が薄れ，ひどい場合には，画面に虹のような現象が表れる。
【００１２】
そこで本発明は，ＣＤＴ電子銃の電極放電によって降下されたフライバック変圧器の集束電圧出力端の電圧を正常電圧に復旧することができるＣＤＴ電子銃用電源供給装置，および，ＣＤＴ電子銃の集束電圧の復旧方法を提供することを目的とする。
【００１３】
【課題を解決するための手段】
上記目的を達成するための本発明のＣＤＴ電子銃用電源供給装置は，集束電圧出力端と加速電圧出力端とを有するフライバック変圧器を備え，所定の基準電圧を提供する電圧供給部と，集束電圧出力端の集束電圧を検出する集束電圧検出部と，集束電圧検出部からの集束電圧が電圧供給部の基準電圧より低い場合に，集束電圧出力端の電圧を上昇させる集束電圧上昇部とを含むことを特徴とする。
【００１４】
ここで集束電圧検出部は，集束電圧出力端と直列に接続された検出抵抗を含むことで，集束電圧を容易に検出することができる。
【００１５】
集束電圧上昇部は，電圧供給部と前記集束電圧検出部との間に介在されて，電圧供給部からの基準電圧を充電するための抵抗とコンデンサとからなる電圧上昇回路を含むことで，集束電圧の損失電圧を復旧することができる。
【００１６】
電圧供給部は，フライバック変圧器の垂直ダイナミック波形の電源供給端を含むことが望ましい。
【００１７】
集束電圧上昇部は，集束電圧検出部から電圧供給部への方向の電流を遮断するダイオードを含むことで，ダイオードにより集束電圧出力端から電源供給部への方向電流を遮断することができる。
【００１８】
加速電圧出力端には，加速電圧を維持するためのバイパスコンデンサを設ければ，集束電圧出力端の電圧変化に従って加速電圧出力端の電圧変化をなくすことができる。
【００１９】
また，上記目的を達成するための本発明のＣＤＴ電子銃の集束電圧の復旧方法は，ＣＤＴ電子銃の集束電極に印加される集束電圧を検出する段階と，集束電圧を所定の基準電圧と比較する段階と，集束電圧が前記基準電圧より低い場合に，集束電極に印加される電圧を上昇させる段階とを含むことを特徴とする。
【００２０】
基準電圧は，集束電極に印加される垂直ダイナミック波形の電源供給端で簡単に構成することができる。
【００２１】
集束電圧を上昇させる段階は，集束電極と，垂直ダイナミック波形の電源供給端との間に介在されたコンデンサと抵抗とによって充電された電圧を集束電極に供給する段階を含むことで，効果的に集束電圧を高めることができる。
【００２２】
【発明の実施の形態】
以下，添付した図面を参照して本発明の実施の形態を詳細に説明する。図１は，本実施形態のＣＤＴ電子銃用電源供給装置の集束電圧の復旧回路図を示す図である。また，本実施形態におけるフライバック変圧器１０として，前述した従来のフライバック変圧器１０を採用した例を挙げ，図４を用いて説明する。
【００２３】
図１に示すように，集束電圧出力端１７と加速電圧出力端１９とを有するフライバック変圧器（ＦＢＴ）１０を備え，所定の基準電圧を提供する電圧供給部４２と，集束電圧出力端１７の集束電圧を検出する集束電圧検出部２８と，集束電圧検出部２８からの集束電圧が電圧供給部の基準電圧より低い場合に，集束電圧出力端１７の電圧を上昇させる集束電圧上昇部２６，２７とを含む。
【００２４】
図４に示すように，フライバック変圧器１０の２次側は，各集束電極Ｇ３，Ｇ４に電圧を印加するために，高電圧分配抵抗１６が直列に接続されて高電圧を分圧し，各集束電極ＥＣ３−Ｓ（Ｇ３）１５，ＥＣ３−Ｄ（Ｇ４）１７に供給し，スタティック集束電極ＥＣ３−Ｓ（Ｇ３）１５から分岐されたラインにはコンデンサＣ３を通じてダイナミック集束のための放物線波形の電圧が出力される（図４のパラボーラ電圧出力端２３）。フライバック変圧器１０の２次側コイルの最下端部には抵抗４３とコイル４４が並列接続されており，画面の明るさを検出してスクリーン電圧を制御するＡＢＬ（Ａｕｔｏ  Ｂｒｉｇｈｔ  Ｌｉｍｉｔｅｒ）回路ブロック（図示せず）が接続される。
【００２５】
図４に示した高電圧分配抵抗１６が直列に接続されたライン１６ａとダイナミック集束電圧出力端１７の接続ライン２１の末端には，図１に示すように，ダイナミック集束電極Ｇ４に印加される電圧を検出するための集束電圧検出抵抗２８が直列に接続される。集束電圧検出抵抗２８に印加される電圧を測定することにより，ダイナミック集束電圧電極Ｇ４に印加される電圧を検出することができる。正常な電圧が印加される場合，集束電圧検出抵抗２８から検出される電圧は約６ｋＶ程度である。
【００２６】
図１において，集束電圧検出抵抗２８が介在されたラインは，フライバック変圧器１０の放物線波形の出力端２３に電源を供給する垂直ダイナミック波形の電源供給端２０と接続されている。垂直ダイナミック波形の電源供給端２０と集束電圧検出抵抗２８の接続ラインには，集束電圧検出抵抗２８側に陽極が接続された逆方向電流遮断用ダイオード２５と，抵抗２６とコンデンサ２７から構成された電圧上昇部が介在されている。電圧上昇部２６，２７は集束電圧検出抵抗２８の電圧が降下されて垂直ダイナミック波形の電源供給端２０の電圧と一致する場合，集束電圧検出抵抗の電圧を上昇させる。
【００２７】
ＣＤＴ電子銃が正常的に動作する場合，集束電圧検出抵抗２８の電圧が垂直ダイナミック波形の電源供給端２０の電圧より高電圧であるので，逆方向電流遮断用ダイオード２５は電流の通じない状態を維持し，ダイナミック集束電圧検出抵抗２８の電圧によって電圧上昇部２６，２７に電圧が充電される。しかし，ＣＤＴ電子銃の電極放電によってダイナミック集束電圧出力端１７の電圧が降下されば，電圧上昇部によって充電された電圧と，図１の垂直ダイナミック波形の電源供給端２０の電圧によってダイナミック集束電圧出力端１７の電圧が上昇されて本来の電圧に復旧される。
【００２８】
一方，図１で加速電極Ｇ２が接続されるフライバック変圧器１０の加速電圧出力端子２１の末端には，抵抗２３と，バイパスコンデンサ２４が接続される。バイパスコンデンサ２４に充電された電圧によって加速電圧が維持されるので，集束電圧出力端１７の電圧変化に従って加速電圧出力端子２１の電圧が流動しなくなる。
【００２９】
このような構成によって，フライバック変圧器１０のダイナミック集束電圧出力端１７の電圧降下時抵抗２６とコンデンサ２７とから構成された積分回路に充電された電圧によって損失された電圧が復旧され，集束電圧出力端の電圧を維持することができる。また，ＣＤＴ電子銃の加速電極と集束電極構造による集束電圧出力端の電圧変化に従う加速電圧出力端の電圧流動を防止することができる。
【００３０】
前述した実施の形態では，高電圧偏向一体型電源供給装置に適用された場合に例えて述べたが，高電圧偏向分離型電源供給装置にも本発明の電圧上昇回路を適用することができる。
【００３１】
また，前述した実施の形態では，所定の基準電圧を供給する電源供給部をフライバック変圧器の垂直でダイナミックな電源供給端から接続して構成したが，別の電源供給装置に接続して電圧を供給することもできる。
【００３２】
以上，本発明の好適な実施形態について説明したが，本発明はこれらの例に限定されない。いわゆる当業者であれば，特許請求の範囲に記載された技術的思想の範疇内において各種の変更例または修正例に想到し得ることは明らかであり，それらについても当然に本発明の技術的範囲に属するものと了解される。
【００３３】
【発明の効果】
本発明によると，ＣＤＴ電子銃の電極放電によって降下されたフライバック変圧器集束電圧出力端の電圧を正常電圧に復旧することができるＣＤＴ電子銃用電源供給装置およびＣＤＴ電子銃の集束電圧の復旧方法が提供される。
【図面の簡単な説明】
【図１】本実施形態による電源供給装置の集束電圧の復旧回路図の一例である。
【図２】従来のＣＤＴ電子銃の電極配置構造である。
【図３】Ｓ−ＣＸＯ  ＣＤＴ電子銃の電極配置構造である。
【図４】電源供給装置の高電圧偏向一体型フライバック変圧器の回路図の一例である。
【符号の説明】
３，５３      ＥＣ３−Ｓ（Ｇ３）
５，５５      ＥＣ２
７，５７      ＥＣ３−Ｄ（Ｇ４）
９      共振コンデンサ
１０    フライバック変圧器
１１    １次側コイル
１２    ２次側コイル
１３    ３次側コイル
１４    高電圧（ＨＶ）
１５    集束電圧出力端ＥＣ３−Ｓ（Ｇ３）
１６    高電圧分配抵抗
１７    集束電圧出力端ＥＣ３−Ｄ（Ｇ４）
１８    高電圧駆動トランジスタ
１９    加速電圧出力端
２０    垂直ダイナミック波形の電源供給端
２３    パラボーラ電圧出力端
２４    バイパスコンデンサ
２５    逆方向電流遮断用ダイオード
２６    電圧上昇部の抵抗
２７    電圧上昇部のコンデンサ
２８    集束電圧検出抵抗
４１    フライバック変圧器駆動回路
４２    電圧供給回路
４３    抵抗
４４    コイル
【図１】
0003620593.tif 000002
【図２】
0003620593.tif 000003
【図３】
0003620593.tif 000004
【図４】
0003620593.tif 000005